(57)【特許請求の範囲】
【請求項１】
筐体と、
前記筐体の第１方向の端部に設けられ前記筐体から張り出したフランジ部と、
前記筐体の前記第１方向の端部側の接続点から、前記筐体から離れるよう前記第１方向とは反対の第２方向の外方向に斜めに延出した複数の板ばねと、
を備え、
前記フランジ部は、前記第２方向を向く面に、第１の平面に含まれる平面を有し、
前記複数の板ばねそれぞれは、先端側に、貫通孔が形成された平板状の取り付け面部を有し、前記接続点を中心として第１の回動方向に回動するように弾性変形させてそれぞれの前記取り付け面部の表面が前記第１の平面よりも前記第１方向側に位置する第２の平面に含まれる第１の回動位置に変形可能であることを特徴とする埋込型器具。
【請求項２】
前記筐体の内部にスピーカが収容され、
前記スピーカから出力された音声が、前記第１方向の端部から外部に出力されることを特徴とする請求項１記載の埋込型器具。
【請求項３】
前記板ばねは、前記筐体に近い方から順に、前記第１方向の端部とは反対側に凸となる弧状の弧状部、前記板ばねを前記第１の平面に対する直交方向に沿う姿勢に弾性変形させたときに、前記直交方向に延在する横腕部、及び前記第１の平面に沿う方向に延在する縦腕部、を有していることを特徴とする請求項１又は請求項２記載の埋込型器具。
【請求項４】
前記筐体及び前記第１の回動方向とは逆方向の第２の回動方向に回動させて前記筐体に沿う第２の回動位置に弾性変形させた状態の前記複数の板ばねは通過可能であり、かつ前記フランジ部は通過不能な取り付け孔を有する板状部材に対し、
前記板状部材の一面側に前記フランジ部の前記平面を当接させると共に、他面側を、前記取り付け孔を通過させた前記複数の板ばねで付勢して前記板状部材を前記フランジ部及び前記複数の板ばねで挟んで取り付ける第１の取り付け態様と、
前記板状部材の一面側に前記フランジ部の前記第１方向を向く面を当接させると共に、前記複数の板ばねを前記第１の回動位置にして前記板状部材の前記一面側に前記貫通孔を通したねじで固定する第２の取り付け態様と、
のいずれでも取り付け可能であることを特徴とする請求項１〜３のいずれか１項に記載の埋込型器具。
【発明の詳細な説明】
【技術分野】
【０００１】
本発明は、埋込型器具に係り、特に、天井や側壁などの板状部材に取り付けて使用する埋込型器具に関する。
【背景技術】
【０００２】
埋込型器具として、天井や側壁などの板状部材に取り付けて使用する埋込型スピーカ装置や埋込型照明器具が知られている。
特許文献１には、天井に取り付けられる埋込型照明器具の一例が記載されている。
特許文献１に記載された照明器具は、取り付けのための一対の板ばねとフランジ部（鍔部）を有する枠体とを備えている。
【０００３】
この器具を天井板に取り付ける場合には、天井板に予めフランジ部が通過できないサイズで孔を形成しておく。そして、その孔に、枠体を一対の板ばねをすぼめた状態で下方から挿入する。
孔を通過した板ばねは、弾性で広がるように復帰し、フランジ部は天井板の下面に当接する。
【０００４】
これにより、板ばねとフランジ部とが、天井板をそれぞれ上下方向から強く挟んで保持するので、埋込型照明器具を天井板に取り付けることができる。
この取り付け構造は、埋込型スピーカ装置などの他の埋込型器具にも採用されている。
【先行技術文献】
【特許文献】
【０００５】
【特許文献１】特開２０１４−９３６７０号公報
【発明の概要】
【発明が解決しようとする課題】
【０００６】
ところで、埋込型器具を、装飾的或いは心理的な理由などによって室内側から見えないように設置したいという要望が増えてきている。
特許文献１に記載された取り付け構造では、孔を通過不能な室内側から見える部分（フランジ部）が必要なため、この要望に応えることができない。
【０００７】
そこで、室内側からではなく天井板や側壁の裏側から取り付ける専用構造の埋込型器具を市場に投入することも検討される。
【０００８】
しかしながら、取り付け構造が異なる二種の商品を揃える必要があり、コストアップになる。また、取り付け方法を作業現場で決める場合に、融通が利かないという問題も生じる。
【０００９】
すなわち、埋込型器具が、天井や側壁に、室内側からと裏側からとのいずれからも取り付けが可能であれば、コストアップが抑制され、現場での融通が利く。
【００１０】
そこで、本発明が解決しようとする課題は、天井や側壁の板状部材に対し、室内側となる表側からと裏側からとの両側からの取り付けが可能な埋込型器具を提供することにある。
【課題を解決するための手段】
【００１１】
上記の課題を解決するために、本発明は次の１）の構成を有する。
１）  筐体と、
前記筐体の第１方向の端部に設けられ前記筐体から張り出したフランジ部と、
前記筐体の前記第１方向の端部側の接続点から、前記筐体から離れるよう前記第１方向とは反対の第２方向の外方向に斜めに延出した複数の板ばねと、
を備え、
前記フランジ部は、前記第２方向を向く面に、第１の平面に含まれる平面を有し、
前記複数の板ばねそれぞれは、先端側に、貫通孔が形成された平板状の取り付け面部を有し、前記接続点を中心として第１の回動方向に回動するように弾性変形させてそれぞれの前記取り付け面部の表面が前記第１の平面よりも前記第１方向側に位置する第２の平面に含まれる第１の回動位置に変形可能であることを特徴とする埋込型器具である。
【発明の効果】
【００１２】
本発明によれば、天井や側壁の板状部材に対し、室内側となる表側からと裏側からとの両側からの取り付けが可能である。
【図面の簡単な説明】
【００１３】
【図１】図１は、本発明の実施の形態に係る埋込型器具である埋込型スピーカ装置５１の自然状態を示す側面図である。
【図２】図２は、埋込型スピーカ装置５１の平面図である。
【図３】図３は、埋込型スピーカ装置５１に備えられた板ばね２の側面図である。
【図４】図４は、埋込型スピーカ装置５１の、天井板に対する第１の取り付け方法を説明するための図である。
【図５】図５は、埋込型スピーカ装置５１の、天井板に対する第２の取り付け方法を説明するための図である。
【発明を実施するための形態】
【００１４】
本発明の実施の形態に係る埋込型器具の実施例である埋込型スピーカ装置５１について、図１〜図５を参照して説明する。
図１は、埋込型スピーカ装置５１の自然状態を示す側面図であり、図２は上面図である。説明上、天井に取り付けた姿勢における上下方向を図１に矢印で示される方向に規定する。
【００１５】
埋込型スピーカ装置５１は、本体部１と、本体部１から図１の左右方向にそれぞれ延出した板ばね腕部２ａ，２ｂを有する板ばね２と、を有する。
板ばね腕部２ａ，２ｂは、以下、単に腕部２ａ，２ｂと称する。
【００１６】
本体部１は、円筒状の筐体１ａと、筐体１ａの一方の端部Ｅである下部において径方向外方に張り出したフランジ部１ｂと、筐体１ａの図１における紙面表側の半分側において上方に突出する基板部１ｃ（図２参照）と、を有する。
筐体１ａとフランジ部１ｂとの境界部分には、両部分を繋ぎ周方向に所定間隔をもって径方向外方に延びるガイドリブ１ｅが、放射状に複数形成されている。
ガイドリブ１ｅの先端は、筐体１ａと同心の直径Ｄａなる円周上に位置している。
【００１７】
筐体１ａの内部には、スピーカＳＰが収容されている。
スピーカＳＰには、基板部１ｃを介して外部から音声信号が供給される。
スピーカＳＰは、その音声信号に基づく音声を、筐体１ａの下面に設けられた図示しない放音孔を通して下方に放出する。
【００１８】
板ばね２は、例えば、ばね用ステンレス鋼帯からプレス加工等で形成されている。
【００１９】
図２及び図３に示されるように、板ばね２は、短冊状に延在し中央部に雄ねじＮを通すための孔（図示せず）を有する基部２ｃと、基部２ｃの両端から下方に延びる側部２ｃ１，２ｃ２と、を有する。
さらに、板ばね２は、側部２ｃ１，２ｃ２の下端から上方に凸となる円弧状で外上方に延びる弧状部である当接部２ａ１，２ａ２と、当接部２ａ１，２ａ２の先端から斜め上方に縮幅しながら延びる傾斜部２ａ２，２ｂ２と、を有する。
またさらに、板ばね２は、傾斜部２ａ２，２ｂ２の先端から概ね水平に延びる横腕部２ａ３，２ｂ３と、横腕部２ａ３，２ｂ３の先端に直交接続して概ね鉛直下方に延びる縦腕部２ａ４，２ｂ４と、縦腕部２ａ４，２ｂ４の先端から斜め上方に傾斜して延びる取り付け面部２ａ５，２ｂ５と、を有している。
【００２０】
取り付け面部２ａ５，２ｂ５は平板状に形成されている。
取り付け面部２ａ５，２ｂ５には貫通孔２ａ６，２ｂ６が形成されている。
貫通孔２ａ６，２ｂ６の中心軸線ＣＬ２ａ，ＣＬ２ｂは、上下方向において、下方が互いに離れる方向に、それぞれ角度θａ，θｂ（図１参照）傾斜している。
【００２１】
腕部２ａは、側部２ｃ１と当接部２ａ１との接続点Ｂａから外側の部分である。
腕部２ｂは、側部２ｃ２と当接部２ｂ１との接続点Ｂｂから外側の部分である。
【００２２】
図３において、腕部２ａ，２ｂは、それぞれ接続点Ｂａ，Ｂｂを中心として時計回り方向及び反時計回り方向のいずれにも回動するように弾性変形可能となっている。
腕部２ａ，２ｂの弾性的回動範囲は、少なくとも図４に二点鎖線で示されるような筐体１ａに沿って概ね上下方向に延びる姿勢となる上方回動位置と、図５に実線で示される取り付け面部２ａ５，２ｂ５の下方側の表面２ａ５ａ，２ｂ５ａが同一の平面ＬＮｂ（図１において一点鎖線で示される）上に位置する姿勢の下方回動位置と、の間を含む。
【００２３】
このような形状の板ばね２は、図２に示されるように、基部２ｃが筐体１ａの天板１ｄに雄ねじＮにより固定されることで、本体部１に取り付けられる。
この取り付けられた状態で、側部２ｃ１，２ｃ２は筐体１ａの側面に沿うようになっている。
また、一対の腕部２ａ，２ｂは、筐体１ａとフランジ部１ｂとから離れる斜め上外方に延出している。
【００２４】
また、取り付け面部２ａ５，２ｂ５は、図１に示されるように、下方回動位置で、フランジ部１ｂの上面１ｂ１が含まれる平面ＬＮａ（図１において一点鎖線で示される）よりも下方（筐体１ａの一方の端部Ｅ側）に位置するようになっている。
【００２５】
以上の構成を有する埋込型スピーカ装置５１は、天井や側壁の板状部材に対し、その一方側と他方側とのそれぞれからの取り付けが可能である。
以下、板状部材が天井板の場合を例として、一方側（室内側）からと、他方側（天井裏側）からの取り付け方法を、それぞれ図４及び図５を参照して説明する。
【００２６】
（室内側からの取り付け：図４参照）
板状部材である天井板６１には、予め、取り付け孔６１ａを形成しておく。
取り付け孔６１ａは円形とし、その直径は、上述のガイドリブ１ｅの先端位置となる直径Ｄａよりわずかに大きく設定される。詳しくは、筐体１ａの円筒状部分及び上方回動位置とした状態の板ばね２が通過可能で、フランジ部１ｂが通過不能に設定される。
【００２７】
作業者は、室内側において、埋込型スピーカ装置５１の板ばね２の腕部２ａ，２ｂを、上方回動位置（二点鎖線）に弾性変形させる（一点鎖線矢印ＤＲａ）。
そして、埋込型スピーカ装置５１を取り付け孔６１ａに、筐体１ａの円筒状部分を先頭として上方に向け挿入する（白ヌキ矢印）。
【００２８】
この挿入で、板ばね２及び筐体１ａは取り付け孔６１ａを通過し天井裏側へ入る。フランジ部１ｂは、その上面１ｂ１が天井板６１の下面（室内側の面）６１ｂに当接する。
板ばね２は、取り付け孔６１ａを通過すると、弾性によって自ずと自然状態に戻ろうとして広がる（矢印ＤＲｂ）。
【００２９】
これにより、当接部２ａ１，２ｂ１が取り付け孔６１ａの上方縁部６１ａ１に当接し、それぞれ力Ｆａ，Ｆｂで下外方に付勢する。この力Ｆａ，Ｆｂにより、腕部２ａ，２ｂとフランジ部１ｂとの間に天井板６１を挟み込み、埋込型スピーカ装置５１は、天井板６１に室内側から取り付けられる。
【００３０】
この室内側からの取り付けにおいて、板ばね２の腕部２ａ，２ｂをすぼめて筐体１ａと共に取り付け孔６１ａを通過させると、腕部２ａ，２ｂが広がって、その横腕部２ａ３，２ｂ３が取り付け孔６１ａの端面を押し広げるように付勢する。また、縦腕部２ａ４，２ｂ４は水平に近い姿勢となる。
ここで埋込型スピーカ装置５１を静かに下すと、横腕部２ａ３，２ｂ３が取り付け孔６１ａの端面を摺動して下降し、その後、縦腕部２ａ４，２ｂ４が天井板の上面６１ｃに当接して埋込型スピーカ装置５１のそれ以上の下降を規制する。
すなわち、埋込型スピーカ装置５１を、取り付け孔６１ａから腕部２ａ，２ｂによってぶら下げた状態にできる。
これにより、作業者は、取り付け作業中に、埋込型スピーカ装置５１から手を放すことができ、作業効率が向上する。
もちろん、一般的な作業では、取り付ける器具には、予め落下防止のためのワイヤ等の吊り具を取り付けておく。
【００３１】
（天井裏側からの取り付け：図５参照）
板状部材である天井板６２には、予め、孔６２ａを形成しておく。
孔６２ａの形状や数は、限定されない。孔６２ａは、少なくとも、筐体１ａのフランジ部１ｂが通過不能、かつスピーカＳＰから出力された音声が室内側に通過可能であればよい。
図５では、孔６２ａは、フランジ部１ｂの外形に比較的近い直径の丸孔として記載されている。
【００３２】
作業者は、天井裏側から、埋込型スピーカ装置５１を、天井板６２の上面６２ｂの取り付け位置に載置する。具体的には、孔６２ａにフランジ部１ｂを芯合わせして載置する。
【００３３】
次に、作業者は、板ばね２の腕部２ａ，２ｂを自然状態から広げて、取り付け面部２ａ５，２ｂ５を天井板６２の上面６２ｂに当接させる。
【００３４】
作業者は、ねじＮ２を、貫通孔２ａ６，２ｂ６を通して天井板６２にねじ込み、取り付け面部２ａ５，２ｂ５を天井板６２に固定する。
【００３５】
このようにして、埋込型スピーカ装置５１は、天井板６２に天井裏側から取り付けることができる。
【００３６】
このとき、取り付け面部２ａ５，２ｂ５は下方回動位置にあって、フランジ部１ｂの上面１ｂ１が含まれる平面ＬＮａよりも下方に位置するようになっている。
また、取り付け面部２ａ５，２ｂ５は、天井板６２の上面６２ｂに対し、平行となっていわゆる面当たりするように、又はわずかに傾斜し面当たりに極めて近い姿勢で、当接している。
【００３７】
従って、ねじＮ２の取り付けは、取り付け面部２ａ５，２ｂ５を、縦腕部２ａ４，２ｂ４に対して大きく変形させることなく行える。そのため、ねじ込み作業は大変容易である。
【００３８】
また、腕部２ａ，２ｂが、下方回動位置に弾性変形した状態で、取り付け面部２ａ５，２ｂ５が天井板６２に固定される。そのため、腕部２ａ，２ｂの弾性力が、本体部１を天井板６２に押し付けるように作用する（図５の白ヌキ矢印）。
【００３９】
これにより、本体部１が取り付け後に位置ずれする虞がほとんどない。そのため、取り付けについて長期信頼性が得られる。
また、本体部１が天井板６２に押し付けられることで、スピーカＳＰの音声出力時に、スピーカＳＰのフレームに生じる振動が抑制される。これにより、出力音声の音質が向上する。
また、スピーカＳＰのフレームと天井板６２との間の所謂びびり振動が発生しにくくなる。これにより、雑音成分の少ない明瞭な出力音声が得られる。
【００４０】
また、フランジ部１ｂと天井板６２との間に弾性を有するシール部材（スポンジ状部材など）を介在させれば、シール部材を圧縮付勢した状態で取り付けることができる。
これにより、フランジ部１ｂと天井板６２との間から塵埃等が室内に進入することを、良好に防止できる。
【００４１】
埋込型スピーカ装置５１は、同様の方法により、天井以外の、板状部材が水平以外の姿勢となっている部屋の側壁などにも、一方側からと他方側からとの両側からの取り付けが可能である。
【００４２】
以上、詳述したように、埋込型スピーカ装置５１は、天井や側壁の板状部材に対し、室内側となる表側からと裏側からとの両側からの取り付けが可能である。
これにより、取り付け方法が異なる二種の商品を揃える必要がなく、コストアップにならない。また、異なる二つの方法で取り付けが可能となるので、取り付け方法を作業現場で決めることができ、融通が利いて作業効率が向上する。
【００４３】
本発明の実施例は、上述した構成に限定されるものではなく、本発明の要旨を逸脱しない範囲において変形例としてもよい。
【００４４】
実施の形態に係る埋込型器具は、上述の埋込型スピーカ装置に限定されない。埋込型の、照明器具,空調器具，撮像器具，情報表示器具，通信器具，センサ器具など、種々の器具が含まれる。
【００４５】
板ばね２は、上述のように、一方向に互いに離れるように一対延び出る腕部２ａ，２ｂのみを有するものに限定されない。放射状に延びる三つ以上の腕部を有していてもよい。
【符号の説明】
【００４６】
１  本体部
１ａ  筐体、    １ｂ  フランジ部、    １ｂ１  上面、    １ｃ  基板部
１ｄ  天板、    １ｅ  ガイドリブ
２  板ばね
２ａ，２ｂ  板ばね腕部、    ２ａ１，２ｂ２  当接部
２ａ２，２ｂ２  傾斜部、    ２ａ３，２ｂ３  横腕部
２ａ４，２ｂ４  縦腕部、    ２ａ５，２ｂ５  取り付け面部
２ａ６，２ｂ６  貫通孔、    ２ｃ  基部、    ２ｃ１，２ｃ２  側部
５１  埋込型スピーカ装置
６１，６２  天井板
６１ａ  取り付け孔、    ６１ａ１  上方縁部、    ６１ｂ  下面
６２ａ  孔、    ６２ｂ  上面
Ｂａ，Ｂｂ  接続点
ＣＬ２ａ，ＣＬ２ｂ  中心軸線、    Ｄａ  直径
Ｅ  （一方の）端部、    Ｆａ，Ｆｂ  力、    ＬＮａ，ＬＮｂ  平面
Ｎ，Ｎ２  雄ねじ、    ＳＰ  スピーカ、    θａ，θｂ  角度
【図１】
0006634763.tif 000002
【図２】
0006634763.tif 000003
【図３】
0006634763.tif 000004
【図４】
0006634763.tif 000005
【図５】
0006634763.tif 000006